(57)【特許請求の範囲】
【請求項１】
プラント内ネットワークに接続されるとともに、ユーザのフリック操作の方向ごとに対応する展開画面候補を記憶した展開画面候補記憶部を有するＷｅｂサーバ、
およびこのＷｅｂサーバと通信し、プラントの監視制御を行うＷｅｂ端末を備え、
上記Ｗｅｂ端末は、
ユーザの操作を検出する操作検出手段と、
この操作検出手段により検出されたユーザの操作がフリック操作の場合に、上記フリック操作の方向を検出するフリック方向検出手段と、
このフリック方向検出手段によって検出されたフリック操作の方向に対応する上記展開画面候補の画面を表示画面とする画面展開表示手段とを有することを特徴とするＷｅｂプラント監視制御システム。
【請求項２】
上記フリック方向検出手段は、フリック操作の開始箇所の情報を取得する開始位置情報取得手段を有し、
この開始位置情報取得手段により取得された上記フリック操作の開始箇所が、計測値を表示している箇所の場合、当該箇所の信号情報を取得し、
上記画面展開表示手段は、上記展開画面候補の画面の表示の際に当該信号情報に対応する計測値を表示することを特徴とする請求項１記載のＷｅｂプラント監視制御システム。
【請求項３】
ユーザの操作を検出する操作検出手段、
この操作検出手段により検出されたユーザの操作がフリック操作の場合に、上記フリック操作の方向を検出するフリック方向検出手段、
およびユーザのフリック操作の方向ごとに対応する展開画面候補を記憶したＷｅｂサーバから、上記フリック方向検出手段によって検出されたフリック操作の方向に対応する上記展開画面候補を読出し、当該展開画面候補の画面を表示画面とする画面展開表示手段を備えたことを特徴とするＷｅｂ端末。
【発明の詳細な説明】
【技術分野】
【０００１】
この発明は、プラントの監視制御に当たって、効率的な画面展開を行うＷｅｂプラント監視制御システムおよびＷｅｂ端末に関するものである。
【背景技術】
【０００２】
従来の技術は、すべての画面をフリック操作で移動しながら画面を選択するものはある（例えば、特許文献１参照）が、お気に入りとして登録した特定の画面を選択範囲とし、それをプラント監視に使用するものはなかった。
【先行技術文献】
【特許文献】
【０００３】
【特許文献１】特開２０１３−８４２６０号公報（第８〜１３頁、第５図）
【発明の概要】
【発明が解決しようとする課題】
【０００４】
従来の技術は、保持しているすべての画面候補をリスト表示し、その中から選択するため、画面名称をキーにリストをスクロールして目的の画面を選択するため、操作性を確保するためにリスト表示を大きくすると一度に表示できる情報が少なくなり、情報を多く表示すると、誤動作を招く可能性が大きくなるという問題があった。
【０００５】
この発明は、上記のような課題を解決するためになされたものであり、画面展開におけるユーザの効率的な操作性を確保するＷｅｂプラント監視制御システムおよびＷｅｂ端末を得ることを目的とする。
【課題を解決するための手段】
【０００６】
この発明に係わるＷｅｂプラント監視制御システムにおいては、プラント内ネットワークに接続されるとともに、ユーザのフリック操作の方向ごとに対応する展開画面候補を記憶した展開画面候補記憶部を有するＷｅｂサーバ、およびこのＷｅｂサーバと通信し、プラントの監視制御を行うＷｅｂ端末を備え、Ｗｅｂ端末は、ユーザの操作を検出する操作検出手段と、この操作検出手段により検出されたユーザの操作がフリック操作の場合に、フリック操作の方向を検出するフリック方向検出手段と、このフリック方向検出手段によって検出されたフリック操作の方向に対応する展開画面候補の画面を表示画面とする画面展開表示手段とを有するものである。
【発明の効果】
【０００７】
この発明に係わるＷｅｂプラント監視制御システムにおいては、プラント内ネットワークに接続されるとともに、ユーザのフリック操作の方向ごとに対応する展開画面候補を記憶した展開画面候補記憶部を有するＷｅｂサーバ、およびこのＷｅｂサーバと通信し、プラントの監視制御を行うＷｅｂ端末を備え、Ｗｅｂ端末は、ユーザの操作を検出する操作検出手段と、この操作検出手段により検出されたユーザの操作がフリック操作の場合に、フリック操作の方向を検出するフリック方向検出手段と、このフリック方向検出手段によって検出されたフリック操作の方向に対応する展開画面候補の画面を表示画面とする画面展開表示手段とを有するので、フリック操作の方向に対応する展開画面候補の画面を表示することができ、効率的な画面展開操作が可能となる。
【図面の簡単な説明】
【０００８】
【図１】この発明の実施の形態１によるＷｅｂプラント監視制御システムを示すシステム構成図である。
【図２】この発明の実施の形態１によるＷｅｂプラント監視制御システムの動作を示すフローチャートである。
【図３】この発明の実施の形態２によるＷｅｂプラント監視制御システムを示すシステム構成図である。
【図４】この発明の実施の形態３によるＷｅｂプラント監視制御システムを示すシステム構成図である。
【図５】この発明の実施の形態４によるＷｅｂプラント監視制御システムを示すシステム構成図である。
【図６】この発明の実施の形態５によるＷｅｂプラント監視制御システムを示すシステム構成図である。
【図７】この発明の実施の形態６によるＷｅｂプラント監視制御システムを示すシステム構成図である。
【図８】この発明の実施の形態７によるＷｅｂプラント監視制御システムを示すシステム構成図である。
【図９】この発明の実施の形態７によるＷｅｂプラント監視制御システムの動作を示すフローチャートである。
【図１０】この発明の実施の形態８によるＷｅｂプラント監視制御システムを示すシステム構成図である。
【図１１】この発明の実施の形態８によるＷｅｂプラント監視制御システムの動作を示すフローチャートである。
【発明を実施するための形態】
【０００９】
実施の形態１．
本発明の実施の形態１を図に基づいて説明する。
図１は、この発明の実施の形態１によるＷｅｂプラント監視制御システムを示すシステム構成図である。
図１において、Ｗｅｂプラント監視制御システムは、Ｗｅｂブラウザ上でプラントの監視制御を行うＷｅｂ端末１と、プラント内ネットワーク３に接続されて、Ｗｅｂ端末１にプラントの監視データを配信するＷｅｂサーバ２を備えている。
【００１０】
Ｗｅｂ端末１は、Ｗｅｂ端末１で行われた操作を管理する操作管理機能１１（操作検出手段）と、展開画面候補をリスト表示するリスト表示機能１２（リスト表示手段）と、Ｗｅｂ端末１の表示画面を切替える画面展開機能１３（画面展開表示手段）とを有する。
Ｗｅｂサーバ２は、使用頻度の高い画面を展開画面候補として記憶した展開画面候補情報２１（展開画面候補記憶部）を有する。展開画面候補情報２１は、Ｗｅｂ端末１がＷｅｂプラント監視制御システムにログインすると、Ｗｅｂサーバ２からＷｅｂ端末１にダウンロードされるようになっている。
【００１１】
次に、実施の形態１の動作を、図２のフローチャートに基づいて説明する。
ユーザがＷｅｂ端末１上で操作を行うと、操作管理機能１１が操作内容をチェックする（Ｓ１）。ユーザの操作がフリック操作の場合、リスト表示機能１２にリスト表示処理を指示する。
リスト表示機能１２は、展開画面候補情報２１を読み込み（Ｓ２）、展開画面候補表示リストを作成して、ウィンドウにリスト表示する（Ｓ３）。
ユーザが、リスト表示された展開画面候補から画面を選択すると、リスト表示機能１２は、画面展開機能１３にその画面情報を送付する。画面展開機能１３は、その画面情報を基にＷｅｂ端末１上の表示画面を更新する（Ｓ４）。
【００１２】
実施の形態１によれば、使用頻度の高い画面を展開画面候補としてリスト表示することが可能となり、効率的な画面展開操作が可能となる。
【００１３】
実施の形態２．
次に、本発明の実施の形態２を図に基づいて説明する。
図３は、この発明の実施の形態２によるＷｅｂプラント監視制御システムを示すシステム構成図である。
図３において、１〜３、１１〜１３、２１は図１におけるものと同一のものである。図３では、Ｗｅｂ端末１に、展開画面候補情報２１を編集するための展開画面候補編集機能１４（展開画面登録手段）を設けている。
【００１４】
実施の形態１では、使用頻度が高い展開画面候補をリスト表示することで、効率的な画面展開操作が可能となるが、この展開画面候補自体は、展開画面候補情報２１として最初から登録・管理されていた。そのため、ユーザが展開画面候補自体は選択できず、もし必要な画面がその展開画面候補の中になかった場合は、通常の画面展開操作をする必要がある。
そこで、実施の形態２は、Ｗｅｂ端末１に展開画面候補情報２１を編集する機能である展開画面候補編集機能１４を追加することで、ユーザが展開画面候補を任意に登録可能とする。
【００１５】
実施の形態２によれば、ユーザが任意に展開画面候補を登録可能となるため、監視業務を進めていく上で参照すべき画面が変更となった場合でも、ユーザの画面展開操作の効率性を確保することが可能となる。
【００１６】
実施の形態３．
次に、本発明の実施の形態３を図に基づいて説明する。
図４は、この発明の実施の形態３によるＷｅｂプラント監視制御システムを示すシステム構成図である。
図４において、１〜３、１１〜１３、２１は図１におけるものと同一のものである。図４では、画面展開機能１３から、画面展開される展開画面候補の画面展開回数を取得し、保存する展開回数保存機能１５をＷｅｂ端末１に設けている。
【００１７】
実施の形態１では、使用頻度の高い画面を表示することで、効率的な画面展開操作が可能となるが、この展開画面候補リストの表示順番は最初から登録・管理されていた。そのため、ユーザが展開画面候補リストの最後の方の展開画面候補を選択する場合、毎回リストをスクロールさせた上で選択を行う必要がある。
そこで、実施の形態３は、Ｗｅｂ端末１に、画面展開機能１３による画面展開の回数を保存する展開回数保存機能１５を追加し、各展開画面候補の画面展開回数を保存しておき、リスト表示する際にその情報を取得することで、画面展開の回数が多い展開画面候補を選択しやすい位置に表示する。
【００１８】
実施の形態３によれば、ユーザの運用履歴に合わせた展開画面候補リストの表示が可能となり、ユーザの画面展開操作の効率性を確保することが可能となる。
【００１９】
実施の形態４．
次に、本発明の実施の形態４を図に基づいて説明する。
図５は、この発明の実施の形態４によるＷｅｂプラント監視制御システムを示すシステム構成図である。
図５において、１〜３、１１〜１３、１５、２１は図４におけるものと同一のものである。図５では、展開回数保存機能１５が、展開元画面をも付加された画面展開回数を取得し、保存する。
【００２０】
実施の形態３では、Ｗｅｂプラント監視装置全体の画面展開回数より展開画面候補リストの表示順番を変更してきた。しかし、ユーザが行う操作には順番があり、この画面の次にはこの画面を表示するなどの画面展開順番が決まっている場合がある。
そこで、実施の形態４では、Ｗｅｂ端末１における、画面展開の回数を保存する展開回数保存機能１５に、どの画面から展開したかという属性情報を追加し、現在表示中の画面から画面展開の回数が多い展開画面候補をリストの選択しやすい位置に表示する。
【００２１】
実施の形態４によれば、ユーザの運用履歴に合わせた展開画面候補リストの表示が可能となり、ユーザの画面展開操作の効率性を確保することが可能となる。
【００２２】
実施の形態５．
次に、実施の形態５を図に基づき説明する。
図６は、この発明の実施の形態５によるＷｅｂプラント監視制御システムを示すシステム構成図である。
図６において、１〜３、１１〜１３、２１は図１におけるものと同一のものである。図６では、Ｗｅｂ端末を複数有している。各Ｗｅｂ端末を１ａ、１ｂとする。
【００２３】
実施の形態１では、登録した展開画面候補情報２１は１つのＷｅｂ端末１のユーザで使用可能となっている。
実施の形態５は、複数のＷｅｂ端末１ａ、１ｂで、展開画面候補情報２１を共有させるようにした。
【００２４】
実施の形態５によれば、ユーザが異なるＷｅｂ端末を使用しても、同じ展開画面候補情報を使用することが可能となり、ユーザの画面展開操作の効率性を確保することが可能となる。
【００２５】
実施の形態６．
次に、実施の形態６を図に基づき説明する。
図７は、この発明の実施の形態６によるＷｅｂプラント監視制御システムを示すシステム構成図である。
図７において、１〜３、１１〜１３、２１は図１におけるものと同一のものである。図７では、Ｗｅｂ端末１に、ユーザを認証するためのユーザ認証機能１６（ユーザ認証手段）を設け、Ｗｅｂサーバ２の展開画面候補情報２１をユーザ毎に形成している。
【００２６】
実施の形態１では、登録した展開画面候補情報は１つのＷｅｂ端末１のユーザで使用可能となっている。
これに対し、実施の形態６では、Ｗｅｂ端末１にユーザ認証機能１６を追加し、かつ展開画面候補情報２１にユーザごとに識別可能な属性を追加する。
これにより、リスト表示機能１２により、展開画面候補をリスト表示する際に、ユーザ認証機能１６より現在のユーザを取得し、そのユーザ毎に登録した展開画面候補情報２１を切替え、リスト表示することが可能となる。
【００２７】
実施の形態６によれば、１つのＷｅｂ端末１を複数のユーザが使用した場合でも、そのユーザに最適な展開画面候補情報２１を使用することが可能となり、ユーザの画面展開操作の効率性を確保することが可能となる。
【００２８】
実施の形態７．
実施の形態７を図に基づき説明する。
図８は、この発明の実施の形態７によるＷｅｂプラント監視制御システムを示すシステム構成図である。
図８にいて、１〜３、１１、１３、２１は図１におけるものと同一のものである。図８では、Ｗｅｂ端末１に、フリック操作の方向を検出するフリック方向検出機能１７（フリック方向検出手段）を設けている。図８の展開画面候補情報２１には、フリック操作の方向に対応して展開画面候補が登録されている。
【００２９】
実施の形態１では、ユーザが展開画面候補をリスト表示し、そのリストから画面展開操作を行っていた。
実施の形態７は、Ｗｅｂ端末１にフリック方向検出機能１７を追加することにより、画面上にて行ったフリック操作の方向を８方向（左、左上、上、右上、右、右下、下、左下）でチェックし、フリック方向毎に登録した展開画面候補による画面展開を行うことが可能となる。
【００３０】
次に、動作について、図９のフローチャートを用いて説明する。
ユーザがＷｅｂ端末１上で操作を行うと、操作管理機能１１が操作内容をチェックする（Ｓ１１）。ユーザの操作がフリック操作の場合、フリック方向検出機能１７が、フリック操作の方向を検出する（Ｓ１２）。フリック方向検出機能１７により検出されたフリック操作の方向に応じて、展開画面候補情報２１の画面を選択し、画面展開機能１３は、その画面情報を基にＷｅｂ端末１上の表示画面を更新する（Ｓ１３）。
【００３１】
実施の形態７によれば、Ｗｅｂ端末１にて、展開画面候補リストを表示することなく画面展開が可能となり、ユーザの画面展開操作の効率性を確保することが可能となる。
【００３２】
実施の形態８．
実施の形態８を図に基づき説明する。
図１０は、この発明の実施の形態８によるＷｅｂプラント監視制御システムを示すシステム構成図である。
図１０において、１〜３、１１、１３、１７、２１は図８におけるものと同一のものである。図１０では、フリック方向検出機能１７に、フリック開始箇所の情報を取得する開始位置情報取得機能１８（開始位置情報取得手段）をもたせている。
【００３３】
実施の形態７では、画面のフリック方向毎に登録した画面を展開可能である。しかし展開する画面は固定であり、展開前の画面の情報を引継いで画面を変化させることができない。
そこで、実施の形態８は、フリック方向検出機能１７に、フリック開始箇所の情報を取得する開始位置情報取得機能１８を追加する。
フリック開始箇所が画面上にて計測値を表示している箇所の場合、その箇所の信号情報を取得し、画面展開する際にその信号情報を付加して画面展開を行う。
画面展開する画面が信号情報を受付可能な場合は、その信号情報を使用して画面展開を行うことが可能となる。すなわち、更新された画面に同じ計測値を表示することができる。
【００３４】
次に、動作について、図１１のフローチャートを用いて説明する。
図１１のＳ２１、Ｓ２２、Ｓ２５は、図９のＳ１１、Ｓ１２、Ｓ１３とそれぞれ同じ処理であり、その説明を省略する。
図１１では、Ｓ２２に続いて、Ｓ２３を実行する。
Ｓ２３で、開始位置情報取得機能１８によりフリック開始位置をチェックさせる。画面上の計測値の上か、それ以外により、計測値の上であれば、Ｓ２４で、計測値に対応する信号情報を取得して、信号情報付きで画面展開指示を行い、展開された画面でも同じ計測値を表示する。
計測値の上以外であれば、そのままＳ２５に進み、画面展開を行う。
これにより、計測値をフリック操作することにより、画面展開後の表示データを、指定した計測値とすることができる。
【００３５】
実施の形態８によれば、表示画面に表示されている信号情報に関する画面展開が容易となり、ユーザの画面展開操作の効率性を確保することが可能となる。
【００３６】
なお、本発明は、その発明の範囲内において、各実施の形態を自由に組み合わせたり、各実施の形態を適宜、変形、省略することが可能である。
【符号の説明】
【００３７】
１  Ｗｅｂ端末、２  Ｗｅｂサーバ、３  プラント内ネットワーク、
１１  操作管理機能、１２  リスト表示機能、１３  画面展開機能、
１４  展開画面候補編集機能、１５  展開回数保存機能、１６  ユーザ認証機能、
１７  フリック方向検出機能、１８  開始位置情報取得機能、２１  展開画面候補情報
【図１】
0006444287.tif 000002
【図２】
0006444287.tif 000003
【図３】
0006444287.tif 000004
【図４】
0006444287.tif 000005
【図５】
0006444287.tif 000006
【図６】
0006444287.tif 000007
【図７】
0006444287.tif 000008
【図８】
0006444287.tif 000009
【図９】
0006444287.tif 000010
【図１０】
0006444287.tif 000011
【図１１】
0006444287.tif 000012